(57)【特許請求の範囲】
【請求項１】
光の透過部分を有する被照射物を搬送方向に搬送する搬送手段と、被照射物の一方の面側に配置され、被照射物の前記透過部分を通過した透過光を収束するレンズ体と、このレンズ体により収束された前記透過光を受光するセンサと、被照射物の他方の面側に配置され、主走査方向及び副走査方向に延在する導光体と、この導光体の端部に設けられ、主走査方向に沿って、光源がアレイ状に配列され、副走査方向に光を前記導光体内へ照射するアレイ光源と、前記導光体の前記アレイ光源の光軸が交差する位置に形成され、前記アレイ光源から副走査方向に照射された光を被照射物の照射部へ反射させる反射部とを備えた画像読取装置。
【請求項２】
前記反射部は、前記アレイ光源から出射した光を前記レンズ体の結像光学系の光軸に対して傾斜させ、被照射物に照射する請求項１に記載の画像読取装置。
【請求項３】
前記反射部は、表面に反射部材が施されている請求項１又は２に記載の画像読取装置。
【請求項４】
光の透過部分を有する被照射物を搬送方向に搬送する搬送手段と、被照射物の一方の面側に配置され、被照射物の前記透過部分を通過した透過光を収束するレンズ体と、このレンズ体により収束された前記透過光を受光するセンサと、被照射物の他方の面側に配置され、主走査方向及び副走査方向に延在する導光体と、この導光体の端部に設けられ、主走査方向に沿って、光源がアレイ状に配列され、副走査方向に複数波長の光を前記導光体内へ照射する第１光源と、前記導光体の端部に設けられ、主走査方向であって前記第１光源の配列に沿って、光源がアレイ状に配列され、副走査方向に複数波長の光を前記導光体内へ照射する第２光源と、前記導光体の前記第１光源の光軸が交差する位置に形成され、前記第１光源から副走査方向に照射された光を被照射物の照射部へ反射させる第１反射部と、この第１反射部と異なる傾斜角を有し、前記導光体の前記第２光源の光軸が交差する位置に形成され、前記第２光源から副走査方向に照射された光を前記照射部へ反射させる第２反射部と、前記第１反射部及び前記第２反射部のそれぞれに入射する光の露光比率を時分割して制御する点灯制御手段とを備え、前記第１反射部と前記第２反射部とから、それぞれ前記照射部に対して異なる照射角度で光を照射し、前記センサは、前記点灯制御手段で時分割された電気信号をそれぞれ検出する画像読取装置。
【請求項５】
前記第１反射部又は前記第２反射部は、副走査方向に導光される光を前記レンズ体の結像光学系の光軸に対して傾斜させ、被照射物に照射する請求項４に記載の画像読取装置。
【請求項６】
前記第１反射部又は前記第２反射部は、表面の一部に反射部材が施されている請求項４又は５に記載の画像読取装置。
【請求項７】
光の透過部分を有する被照射物を搬送方向に搬送する搬送手段と、被照射物の一方の面側に配置され、主走査方向及び副走査方向に延在する導光体と、前記搬送方向前段側の前記導光体の端部に設けられ、主走査方向に沿って、光源がアレイ状に配列され、副走査方向に複数波長の光を前記導光体内へ照射する第１光源と、前記搬送方向前段側の前記導光体の端部に設けられ、主走査方向であって前記第１光源の配列に沿って、光源がアレイ状に配列され、副走査方向に複数波長の光を前記導光体内へ照射する第２光源と、前記導光体の前記第１光源の光軸が交差する位置に形成され、前記第１光源から副走査方向に照射された光を被照射物の照射部へ反射させる第１反射部と、この第１反射部と異なる傾斜角を有し、前記導光体の前記第２光源の光軸が交差する位置に形成され、前記第２光源から副走査方向に照射された光を前記照射部へ反射させる第２反射部と、前記搬送方向後段側の前記導光体の端部に設けられ、主走査方向に沿って、光源がアレイ状に配列され、副走査方向に複数波長の光を前記導光体内へ照射する第３光源と、前記搬送方向後段側の前記導光体の端部に設けられ、主走査方向であって前記第３光源の配列に沿って、光源がアレイ状に配列され、副走査方向に複数波長の光を前記導光体内へ照射する第４光源と、前記導光体の前記第３光源の光軸が交差する位置に形成され、前記第３光源から副走査方向に照射された光を前記照射部へ反射させる第３反射部と、この第３反射部と異なる傾斜角を有し、前記導光体の前記第４光源の光軸が交差する位置に形成され、前記第４光源から副走査方向に照射された光を前記照射部へ反射させる第４反射部と、前記第１反射部、前記第２反射部、前記第３反射部、前記第４反射部に入射する光の露光比率を時分割して制御する点灯制御手段と、照射物の他方の面側に配置され、前記照射部における被照射物の前記透過部分を通過した透過光を収束するレンズ体と、このレンズ体により収束された前記透過光を時分割毎に受光するセンサとを備え、前記第１反射部と前記第２反射部とから、それぞれ前記照射部に対して異なる照射角度で光を照射し、前記第３反射部と前記第４反射部とから、それぞれ前記照射部に対して異なる照射角度で光を照射する画像読取装置。
【請求項８】
前記第１反射部又は前記第２反射部は、副走査方向に導光される光を前記レンズ体の結像光学系の光軸に対して傾斜させ、被照射物に照射する請求項７に記載の画像読取装置。
【請求項９】
前記第１反射部又は前記第２反射部は、表面の一部に反射部材が施されている請求項７又は８に記載の画像読取装置。
【請求項１０】
光の透過部分を有する被照射物を搬送方向に搬送する搬送手段と、被照射物の一方の面側に配置され、主走査方向及び副走査方向に延在する導光体と、この導光体の端部に設けられ、主走査方向に沿って、光源がアレイ状に配列され、副走査方向に複数波長の光を前記導光体内へ照射する第１光源と、前記導光体の端部に設けられ、主走査方向であって前記第１光源の配列に沿って、光源がアレイ状に配列され、副走査方向に複数波長の光を前記導光体内へ照射する第２光源と、前記導光体の前記第１光源の光軸が交差する位置に形成され、前記第１光源から副走査方向に照射された光を被照射物の照射部へ反射させる第１反射部と、この第１反射部と異なる傾斜角を有し、前記導光体の前記第２光源の光軸が交差する位置に形成され、前記第２光源から副走査方向に照射された光を前記照射部へ反射させる第２反射部と、前記第１反射部、前記第２反射部のそれぞれに入射する光の露光比率を選択して制御する点灯制御手段と、被照射物の他方の面側に配置され、被照射物の前記透過部分を通過した透過光を収束するレンズ体と、このレンズ体により収束された前記透過光を受光するセンサとを備え、前記第１反射部と前記第２反射部とから、それぞれ前記照射部に対して異なる照射角度で照射した光の前記透過光の電気信号を切替え検出する画像読取装置。
【請求項１１】
透かし部分を有する紙幣を搬送方向に搬送する搬送手段と、紙幣の一方の面側に配置され、主走査方向及び副走査方向に延在する導光体と、この導光体の端部に設けられ、主走査方向に沿って、光源がアレイ状に配列され、副走査方向に複数波長の光を前記導光体内へ照射する第１光源と、前記導光体の端部に設けられ、主走査方向であって前記第１光源の配列に沿って、光源がアレイ状に配列され、副走査方向に複数波長の光を前記導光体内へ照射する第２光源と、前記導光体の前記第１光源の光軸が交差する位置に形成され、前記第１光源から副走査方向に照射された光を紙幣の照射部へ反射させる第１反射部と、この第１反射部と異なる傾斜角を有し、前記導光体の前記第２光源の光軸が交差する位置に形成され、前記第２光源から副走査方向に照射された光を前記照射部へ反射させる第２反射部と、前記第１反射部、前記第２反射部のそれぞれに入射する光の露光比率を時分割して制御する点灯制御手段と、紙幣の他方の面側に配置され、前記透かし部分で透過した透過光を時分割毎に受光するセンサとを備え、前記第１反射部と前記第２反射部とから、それぞれ前記照射部に対して異なる照射角度で照射した光の前記透過光の電気信号をそれぞれ検出し、紙幣の真偽判定を行う画像読取装置。
【請求項１２】
透過性のホログラム領域を有する被照射物を搬送方向に搬送する搬送手段と、被照射物の一方の面側に配置され、主走査方向及び副走査方向に延在する導光体と、この導光体の端部に設けられ、主走査方向に沿って、光源がアレイ状に配列され、副走査方向に複数波長の光を前記導光体内へ照射する第１光源と、前記導光体の端部に設けられ、主走査方向であって前記第１光源の配列に沿って、光源がアレイ状に配列され、副走査方向に複数波長の光を前記導光体内へ照射する第２光源と、前記導光体の前記第１光源の光軸が交差する位置に形成され、前記第１光源から副走査方向に照射された光を前記ホログラム領域における照射部へ反射させる第１反射部と、この第１反射部と異なる傾斜角を有し、前記導光体の前記第２光源の光軸が交差する位置に形成され、前記第２光源から副走査方向に照射された光を前記照射部へ反射させる第２反射部と、前記第１反射部、前記第２反射部のそれぞれに入射する光の露光比率を時分割して制御する点灯制御手段と、被照射物の他方の面側に配置され、前記ホログラム領域で透過した透過光を時分割毎に受光するセンサとを備え、前記第１反射部と前記第２反射部とから、それぞれ前記照射部に対して異なる照射角度で照射した光の前記透過光の電気信号を検出する画像読取装置。
【発明の詳細な説明】
【技術分野】
【０００１】
この発明は、紙幣等のような被照射物の光の透過部分を読み取る画像読取装置に関するものである。
【背景技術】
【０００２】
従来、この種の読取装置として、例えば、特開２０００−１１３２６９号公報図１（特許文献１）に記載のものがあった。すなわち、この特許文献１には、紙幣等の透かし模様に光を照射し、その透過光を人工網膜チップにより検出し、透過部分（以下、「透かし部分」ともいう。）画像の形状等やその有無の情報を知識処理回路により処理して、紙幣等の鑑定を行う紙幣鑑定装置が記載されている。
【０００３】
特開２００３−８７５６４号公報図２（特許文献２参照）には、いわゆる透過型と反射型とを併用した画像読取装置が記載されている。そして、その画像読取装置は、透過原稿用の光源を原稿カバーに収容し、その原稿カバーに着脱自在に原稿マットを係止し、反射原稿の読取時にはその原稿マットを原稿カバーに装着する一方、透過原稿の読取時には原稿マットを原稿カバーから取り外すように構成した画像読取装置が記載されている。
【０００４】
実開平７−７２５９号公報図８（特許文献３参照）には、透明ロッド２１の一方の端面２１ａまたは２１ｂから透明ロッド２１の内部に入射した光が、透明ロッド２１の外周囲の表面で全反射を繰り返し、他方の端面２１ａまたは２１ｂに向う間に、外周囲のうちの１つの表面に形成された光拡散面３１で乱反射されて反対側の面２１ｃから放出され、主走査方向Ｘにおいて均一な明るさを呈する照明装置およびこれを用いた画像読み取り装置が記載されている。
【０００５】
特開２００７−１９４７９７号公報図１（特許文献４参照）には、被照射物の一方の面側であって、被照射物の垂直面に対して所定角度だけ傾斜させて光源を配置し、この光源からの光が被照射物の透過部分における起伏により散乱された散乱光を受光することにより、被照射物の透過部分を読み取ることができる画像読取装置が開示されている。
【０００６】
【特許文献１】特開２０００−１１３２６９号公報（第１図）
【０００７】
【特許文献２】特開２００３−８７５６４号公報（段落００２４、第２図）
【０００８】
【特許文献３】実開平７ー７２５９号公報（第８図）
【０００９】
【特許文献４】特開２００７−１９４７９７号公報（段落００２０、第１図）
【発明の開示】
【発明が解決しようとする課題】
【００１０】
しかしながら、特許文献１に記載された紙幣鑑定装置は、紙幣等の透かし部分の鑑定は、光源からのいわゆる直接光を紙幣等の透かし部分に対して透過させてこれを電気信号に変換して紙幣等の透かし部分の画像を読み取るものであった。
【００１１】
また、特許文献２に記載された画像読取装置では、いわゆる透過型の画像読取装置（以下、単に「透過型」ともいう。）と反射型の画像読取装置（以下、単に「反射型」ともいう。）とを併用したものと考えることもできるが、この場合も、透過型による光の透過部分における画像の読み取りにおいては、いわゆる直接光により透過部分の画像の読み取りを行うものであった。
【００１２】
また、特許文献３に記載された画像読み取り装置は、比較的個数の少ないＬＥＤを副走査方向に並べて、主走査方向に導光しながら光拡散面から均一になるように光を徐々に放出するので照明照度が不足し高速で移動する原稿を読み取りような高速読み取りの用途には不向きであるという課題があった。
【００１３】
また、特許文献４に記載された画像読取装置は、透過型光源２１から出射した光をラッパ型導光体２２を用いて、所定の角度でラッパ型導光体２２の光射出部２２ａから出射した光を原稿１の搬送経路における照射部５に照射する構成としているので、透過型光源２１から照射部５までの導光経路が比較的長くなり、透過型光源体２０の搬送方向に対する垂直方向サイズが大きくなり、小型化には不向きであるとともに、単一の所定角度の照射しかできないという課題があった。
【００１４】
この発明は、上記のような課題を解決するためになされたもので、被照射物の照射部に対して異なる傾斜角度で照射可能であると共に平板形状のコンパクトな照明部分を搭載する被照射物の透過部分を読み取る画像読取装置を提供することを目的とする。
【課題を解決するための手段】
【００１５】
請求項１に係る画像読取装置は、光の透過部分を有する被照射物を搬送方向に搬送する搬送手段と、被照射物の一方の面側に配置され、被照射物の前記透過部分を通過した透過光を収束するレンズ体と、このレンズ体により収束された前記透過光を受光するセンサと、被照射物の他方の面側に配置され、主走査方向及び副走査方向に延在する導光体と、この導光体の端部に設けられ、主走査方向に沿って、光源がアレイ状に配列され、副走査方向に光を前記導光体内へ照射するアレイ光源と、前記導光体の前記アレイ光源の光軸が交差する位置に形成され、前記アレイ光源から副走査方向に照射された光を被照射物の照射部へ反射させる反射部とを備えたものである。
【００１６】
請求項２に係る画像読取装置は、前記反射部が、前記アレイ光源から出射した光を前記レンズ体の結像光学系の光軸に対して傾斜させ、被照射物に照射する請求項１に記載のものである。
【００１７】
請求項３に係る画像読取装置は、前記反射部が、表面に反射部材が施されている請求項１又は２に記載のものである。
【００１８】
請求項４に係る画像読取装置は、光の透過部分を有する被照射物を搬送方向に搬送する搬送手段と、被照射物の一方の面側に配置され、被照射物の前記透過部分を通過した透過光を収束するレンズ体と、このレンズ体により収束された前記透過光を受光するセンサと、被照射物の他方の面側に配置され、主走査方向及び副走査方向に延在する導光体と、この導光体の端部に設けられ、主走査方向に沿って、光源がアレイ状に配列され、副走査方向に複数波長の光を前記導光体内へ照射する第１光源と、前記導光体の端部に設けられ、主走査方向であって前記第１光源の配列に沿って、光源がアレイ状に配列され、副走査方向に複数波長の光を前記導光体内へ照射する第２光源と、前記導光体の前記第１光源の光軸が交差する位置に形成され、前記第１光源から副走査方向に照射された光を被照射物の照射部へ反射させる第１反射部と、この第１反射部と異なる傾斜角を有し、前記導光体の前記第２光源の光軸が交差する位置に形成され、前記第２光源から副走査方向に照射された光を前記照射部へ反射させる第２反射部と、前記第１反射部及び前記第２反射部のそれぞれに入射する光の露光比率を時分割して制御する点灯制御手段とを備え、前記第１反射部と前記第２反射部とから、それぞれ前記照射部に対して異なる照射角度で光を照射し、前記センサは、前記点灯制御手段で時分割された電気信号をそれぞれ検出するものである。
【００１９】
請求項５に係る画像読取装置は、前記第１反射部又は前記第２反射部が、副走査方向に導光される光を前記レンズ体の結像光学系の光軸に対して傾斜させ、被照射物に照射する請求項４に記載のものである。
【００２０】
請求項６に係る画像読取装置は、前記第１反射部又は前記第２反射部が、表面の一部に反射部材が施されている請求項４又は５に記載のものである。
【００２１】
請求項７に係る画像読取装置は、光の透過部分を有する被照射物を搬送方向に搬送する搬送手段と、被照射物の一方の面側に配置され、主走査方向及び副走査方向に延在する導光体と、前記搬送方向前段側の前記導光体の端部に設けられ、主走査方向に沿って、光源がアレイ状に配列され、副走査方向に複数波長の光を前記導光体内へ照射する第１光源と、前記搬送方向前段側の前記導光体の端部に設けられ、主走査方向であって前記第１光源の配列に沿って、光源がアレイ状に配列され、副走査方向に複数波長の光を前記導光体内へ照射する第２光源と、前記導光体の前記第１光源の光軸が交差する位置に形成され、前記第１光源から副走査方向に照射された光を被照射物の照射部へ反射させる第１反射部と、この第１反射部と異なる傾斜角を有し、前記導光体の前記第２光源の光軸が交差する位置に形成され、前記第２光源から副走査方向に照射された光を前記照射部へ反射させる第２反射部と、前記搬送方向後段側の前記導光体の端部に設けられ、主走査方向に沿って、光源がアレイ状に配列され、副走査方向に複数波長の光を前記導光体内へ照射する第３光源と、前記搬送方向後段側の前記導光体の端部に設けられ、主走査方向であって前記第３光源の配列に沿って、光源がアレイ状に配列され、副走査方向に複数波長の光を前記導光体内へ照射する第４光源と、前記導光体の前記第３光源の光軸が交差する位置に形成され、前記第３光源から副走査方向に照射された光を前記照射部へ反射させる第３反射部と、この第３反射部と異なる傾斜角を有し、前記導光体の前記第４光源の光軸が交差する位置に形成され、前記第４光源から副走査方向に照射された光を前記照射部へ反射させる第４反射部と、前記第１反射部、前記第２反射部、前記第３反射部、前記第４反射部に入射する光の露光比率を時分割して制御する点灯制御手段と、照射物の他方の面側に配置され、前記照射部における被照射物の前記透過部分を通過した透過光を収束するレンズ体と、このレンズ体により収束された前記透過光を時分割毎に受光するセンサとを備え、前記第１反射部と前記第２反射部とから、それぞれ前記照射部に対して異なる照射角度で光を照射し、前記第３反射部と前記第４反射部とから、それぞれ前記照射部に対して異なる照射角度で光を照射するものである。
【００２２】
請求項８に係る画像読取装置は、前記第１反射部又は前記第２反射部が、副走査方向に導光される光を前記レンズ体の結像光学系の光軸に対して傾斜させ、被照射物に照射する請求項７に記載のものである。
【００２３】
請求項９に係る画像読取装置は、前記第１反射部又は前記第２反射部が、表面の一部に反射部材が施されている請求項７又は８に記載のものである。
【００２４】
請求項１０に係る画像読取装置は、光の透過部分を有する被照射物を搬送方向に搬送する搬送手段と、被照射物の一方の面側に配置され、主走査方向及び副走査方向に延在する導光体と、この導光体の端部に設けられ、主走査方向に沿って、光源がアレイ状に配列され、副走査方向に複数波長の光を前記導光体内へ照射する第１光源と、前記導光体の端部に設けられ、主走査方向であって前記第１光源の配列に沿って、光源がアレイ状に配列され、副走査方向に複数波長の光を前記導光体内へ照射する第２光源と、前記導光体の前記第１光源の光軸が交差する位置に形成され、前記第１光源から副走査方向に照射された光を被照射物の照射部へ反射させる第１反射部と、この第１反射部と異なる傾斜角を有し、前記導光体の前記第２光源の光軸が交差する位置に形成され、前記第２光源から副走査方向に照射された光を前記照射部へ反射させる第２反射部と、前記第１反射部、前記第２反射部のそれぞれに入射する光の露光比率を選択して制御する点灯制御手段と、被照射物の他方の面側に配置され、被照射物の前記透過部分を通過した透過光を収束するレンズ体と、このレンズ体により収束された前記透過光を受光するセンサとを備え、前記第１反射部と前記第２反射部とから、それぞれ前記照射部に対して異なる照射角度で照射した光の前記透過光の電気信号を切替え検出するものである。
【００２５】
請求項１１に係る画像読取装置は、透かし部分を有する紙幣を搬送方向に搬送する搬送手段と、紙幣の一方の面側に配置され、主走査方向及び副走査方向に延在する導光体と、この導光体の端部に設けられ、主走査方向に沿って、光源がアレイ状に配列され、副走査方向に複数波長の光を前記導光体内へ照射する第１光源と、前記導光体の端部に設けられ、主走査方向であって前記第１光源の配列に沿って、光源がアレイ状に配列され、副走査方向に複数波長の光を前記導光体内へ照射する第２光源と、前記導光体の前記第１光源の光軸が交差する位置に形成され、前記第１光源から副走査方向に照射された光を紙幣の照射部へ反射させる第１反射部と、この第１反射部と異なる傾斜角を有し、前記導光体の前記第２光源の光軸が交差する位置に形成され、前記第２光源から副走査方向に照射された光を前記照射部へ反射させる第２反射部と、前記第１反射部、前記第２反射部のそれぞれに入射する光の露光比率を時分割して制御する点灯制御手段と、紙幣の他方の面側に配置され、前記透かし部分で透過した透過光を時分割毎に受光するセンサとを備え、前記第１反射部と前記第２反射部とから、それぞれ前記照射部に対して異なる照射角度で照射した光の前記透過光の電気信号をそれぞれ検出し、紙幣の真偽判定を行うものである。
【００２６】
請求項１２に係る画像読取装置は、透過性のホログラム領域を有する被照射物を搬送方向に搬送する搬送手段と、被照射物の一方の面側に配置され、主走査方向及び副走査方向に延在する導光体と、この導光体の端部に設けられ、主走査方向に沿って、光源がアレイ状に配列され、副走査方向に複数波長の光を前記導光体内へ照射する第１光源と、前記導光体の端部に設けられ、主走査方向であって前記第１光源の配列に沿って、光源がアレイ状に配列され、副走査方向に複数波長の光を前記導光体内へ照射する第２光源と、前記導光体の前記第１光源の光軸が交差する位置に形成され、前記第１光源から副走査方向に照射された光を前記ホログラム領域における照射部へ反射させる第１反射部と、この第１反射部と異なる傾斜角を有し、前記導光体の前記第２光源の光軸が交差する位置に形成され、前記第２光源から副走査方向に照射された光を前記照射部へ反射させる第２反射部と、前記第１反射部、前記第２反射部のそれぞれに入射する光の露光比率を時分割して制御する点灯制御手段と、被照射物の他方の面側に配置され、前記ホログラム領域で透過した透過光を時分割毎に受光するセンサとを備え、前記第１反射部と前記第２反射部とから、それぞれ前記照射部に対して異なる照射角度で照射した光の前記透過光の電気信号を検出する検出するものである。
【発明の効果】
【００２７】
この発明に係る画像読取装置によれば、主走査方向及び副走査方向に延在する導光体の端部に設けられ、主走査方向に沿って、光源がアレイ状に配列され、副走査方向に光を導光体内へ照射するアレイ光源（第１光源）の光軸が交差する位置に形成された反射部が、アレイ光源（第１光源）から副走査方向に照射された光を被照射物の照射部へ、所定の照射角度で反射させることが可能なので、装置に搭載する照明光学系が薄型で構成できるのでコンパクトな画像読み取りを得ることが可能である。
【００２８】
また、この発明に係る画像読取装置は、照射部に対して、導光体の反射部に異なる照射角度の反射面を複数設けた場合、被照射物の平面パターンの形状やサイズを読み取る際には直下照明とし、紙幣などの厚みが変化する透かし部分を読み取る際には、直下照明による基材の透過率による真偽判別のみならず斜光照明による紙幣の起伏を読み取る真偽判別とすることが容易となるので、より高精度な紙幣などの真偽判別に適用することができる。
【００２９】
また、この発明に係る画像読取装置は、透過光による透過性のホログラム領域を有する被照射物のホログラム読み取りを行う場合、直下照明と斜光照明とを併用又は複数の照射角度の異なる斜光照明を組み合わせることにより、高精度なホログラム画像の真偽判別に適用することができる。
【発明を実施するための最良の形態】
【００３０】
実施の形態１．
以下、この発明の実施の形態１について、図１を用いて説明する。図１は、実施の形態１による画像読取装置の断面構成図である。図１において、１は紙幣、有価証券又は小切手、フィルム等の被照射物（以下、単に「原稿」或いは「紙幣」という。）であって、半透明又は透明の透かし部分（以下、透過部分ともいう。）と光がほぼ透過しない反射部分とを有するものである。
【００３１】
２は、原稿１の一方の面側（図１において下側）に配置した密着イメージセンサ（以下、単に「ＣＩＳ」という。）である。３はＣＩＳ２において両側に配置した反射型光源であり、原稿１の一方の面側に配置され、原稿１の幅方向（主走査方向）に亘ってＬＥＤチップをアレイ状に直線的に配列したものである。４は反射型光源３から出射した光を副走査方向に導光するポリカーボネートやソーダガラス材などの透明部材で構成した反射型導光体であり、光射出部４ａを有する。５は照射部であり、反射型光源３からの光が、原稿１の搬送経路における原稿１に照射される主走査方向直線状部分であって、搬送される原稿１の読み取り部分を意味する。
【００３２】
６は、ＣＩＳ２内に異物等の混入を防止する機能を有する透明プラスチック材で構成した約２．５ｍｍ厚の透過体で、原稿１はこの透過体６の外側においてガイドされるように搬送される。７は反射型光源３から出射した光が原稿１の一方の面側で反射され、その反射光を副走査方向に反射させる第１ミラー、８は第１ミラー７からの反射光を受光する凹型の第１レンズミラー（第１レンズ  第１非球面ミラーとも呼ぶ）、９は第１レンズ８からの平行光を受光するアパーチャー、９ａは周囲が遮光され、アパーチャー９を通過する光の色収差を緩和するアパーチャー９の表面又は近傍に設けた開口部、１０はアパーチャー９からの透過光を受光する凹型の第２レンズミラー（第２レンズ  第２非球面ミラーとも呼ぶ）、１１は第２レンズ１０からの光を受光し、反射させる第２ミラーである。
【００３３】
１２は開口部９ａを通過した第２レンズ１０からの反射光を第２ミラー１１を介して受光し、光電変換する光電変換回路及びその駆動回路からなるＭＯＳ半導体構成のセンサＩＣ（センサとも呼ぶ）、１３はセンサＩＣ１２を載置するセンサ基板であり、第１センサ基板１３ａと第２センサ基板１３ｂからなる。１４はセンサＩＣ１２で光電変換された信号を信号処理する信号処理ＩＣ（ＡＳＩＣ）、１５はＡＳＩＣ１４などを載置する信号処理基板、１６はセンサ基板１３と信号処理基板１５とを電気接続する内部コネクタである。１７は反射型光源３からの発熱を緩和させるアルミ材などで構成した放熱ブロックである。
【００３４】
１８は第１ミラー７及び第２ミラー１１のミラー系や第１レンズ８及び第２レンズ１０などのレンズ系で構成した結像手段（レンズ体）であるテレセントリックな結像光学系を収納する筐体である。１９は反射形光源３及び反射型導光体４などの照明光学系（照明装置）を収納する筐体である。
【００３５】
一方、２０は原稿１の主走査方向に亘って光を出射する透過型光源体である。この透過型光源体２０において、２１は主走査方向に亘ってＬＥＤチップをアレイ状に直線的に配列した透過型光源、２２は透過型光源２１から出射した光を副走査方向に導光するポリカーボネートやソーダガラス材などの透明部材で構成した透過型導光体であり、２２ａは透過型導光体２２の光射出部、２２ｂは透過型光源２１からの導光された光を反射させて光を光射出部２２ａから照射させる楔形の溝で形成したミラー反射面又は全反射面で形成した反射部である。そして、光射出部２２ａから出射した光は、原稿１の搬送経路における照射部５に照射するように構成している。
【００３６】
また、光射出部２２ａから出射する光は、原稿１の搬送方向と直交する結像光学系の光軸に対してほぼ平行して照射される。２３は透過型光源２１を駆動するための電力を供給する外部コネクタ、２４は透過型光源体２０の筐体である。２５はＣＩＳ２外部に設けられ、原稿１を搬送方向に搬送するプラテンローラ又はプーリなどで構成された搬送手段である。２６は原稿１の透過部分を検知するフォトセンサであり、２６Ｔはフォトセンサ２６の発光部分、２６Ｒはフォトセンサ２６の受光部分である。図中、同一符号は、同一又は相当部分を示す。
【００３７】
図２は、図１に示した断面図の主走査方向の別位置における断面図であり、光の伝搬経路を形成する結像光学系部分は、読み取り位置に対して隣接するブロック毎に図１に示すものとシンメトリーの構造となっている。図中、図１と同一符号は、同一又は相当部分を示す。
【００３８】
図３は、この発明の実施の形態１による画像読取装置の透過型光源体２０の筐体２４を除去した模式平面図である。図３において、２７は透過型光源２１に電源や制御信号を供給する内部コネクタ、２８は多数の白色発光のＬＥＤを主走査方向にアレイ状に配列した透過型光源２１を載置する基板である。図中、図１と同一符号は、同一又は相当部分を示す。
【００３９】
図４は、この発明の実施の形態１による画像読取装置の透過型光源体２０の筐体２４を除去した読み取り位置から見た模式側面図である。図４において、２９は白色発光ＬＥＤなどで構成された透過型光源２１の照射方向に集光性を持たせるために基板２８のＬＥＤ載置部分を覆うようにシリコン材などの透明モールド樹脂をスポットコーティングした集光レンズであり、透過型光源２１の副走査方向への指向性の広がりを制限する役目を担う。また、単一波長のＬＥＤチップを用いたものにおいては、蛍光発光させるため集光レンズ２９に蛍光発光樹脂を使用して複数の波長を有する擬似白色光源としても良い。図中、図３と同一符号は、同一又は相当部分を示す。
【００４０】
次に動作について説明する。図５は、この発明の実施の形態１による画像読取装置のブロック構成図である。図５において、３０は反射型光源３及び透過型光源２１の点灯・消灯動作を制御する光源駆動回路（点灯制御手段）である。３１は制御部（ＣＰＵ）であり、光源駆動回路３０も制御する。すなわち、フォトセンサ２６により、原稿１の透過部分を最初に検出するタイミング信号(検出信号)が光源駆動回路３０やＣＰＵ３１に入力される。このとき、原稿１の搬送速度が一定の場合には、フォトセンサ２６と照射部５との所定距離Ｌに対応した時間経過後に、原稿１の透過部分が照射部５に差し掛かるので、そのタイミングで光源駆動回路３０を駆動制御して、透過型光源２１を点灯させる一方、反射型光源３を消灯させる。ＣＰＵ３１は、フォトセンサ２６により原稿１の透過部分を検出している時間だけ透過型光源２１の点灯、反射型光源３の消灯を継続するように光源駆動回路３０を制御する。
【００４１】
他方、ＣＰＵ３１に読み取りシステム信号（ＳＣＬＫ）が入力された後、フォトセンサ２６が原稿１の透過部分を検出していない間においては、ＣＰＵ３１は、フォトセンサ２６を原稿１の反射部分が通過しているものとして、反射型光源３を点灯させ、透過型光源２１を消灯させるように光源駆動回路３０を駆動制御する。このように、ＣＰＵ３１により光源駆動回路３０を駆動制御して、反射型光源３と透過型光源２１の点灯・消灯を制御する。なお、３２はアナログ信号（ＳＯ）を増幅する可変増幅器、３３はアナログ信号をデジタル信号に変換するＡ／Ｄ（アナログデジタル）変換器、３４は補正回路、３５は照合回路である。図中、図１と同一符号は、同一又は相当部分を示す。
【００４２】
図６は、フォトセンサ２６の出力信号（ＦＯ）と反射型光源３及び透過型光源２１の点灯信号との関係を時間軸に対する変化の様子を示したタイムチャートである。原稿１は、例えば、２５０ｍｍ／ｓｅｃで搬送されているものとする。フォトセンサ２６における原稿１が反射部分である場合には、フォトセンサ２６の出力信号（ＦＯ）は低レベルであるので、反射型光源３は点灯（ＯＮ）し、透過型光源２１は消灯（ＯＦＦ）している。ところが、フォトセンサ２６における原稿１が透過部分に差し掛かった場合には、フォトセンサ２６の出力信号（ＦＯ）は高レベルとなる。このとき、フォトセンサ２６の出力信号（ＦＯ）が所定のレベル範囲内、すなわち、Ｖｔｈ（Ｌ）とＶｔｈ（Ｈ）間に、フォトセンサ２６の出力信号が立ち上がった時点から、例えば、２００ｍｓ後に反射型光源３が消灯（ＯＦＦ）し、透過型光源２１が点灯（ＯＮ）する。そして、フォトセンサ２６の出力信号（ＦＯ）がＶｔｈ（Ｌ）とＶｔｈ（Ｈ）間だけ継続する。
【００４３】
図７に反射型光源読み取り領域と透過型光源読み取り領域との画像出力（ＳＯ）の時間的変化を示す。スタート信号（ＳＩ）に同期して順次画像出力（ＳＯ）が現われ、各ライン出力間にはブランキング期間を設けることにより、読み取り時間の変更や搬送スピードの変更を行うことができる。
【００４４】
次に、図５に示す全体ブロック構成図について説明する。まず、読み取りシステム信号（ＳＣＬＫ）に基づいて、ＣＩＳ２のクロック信号（ＣＬＫ）と同期した０．５ｍｓ／Ｌｉｎｅのスタート信号（ＳＩ）がセンサＩＣ１２に入力されると、そのタイミングによりセンサＩＣ１２において光電変換されたアナログ信号（ＳＯ）が出力される。ＳＯは、可変増幅器３２により増幅された後に、Ａ／Ｄ変換器３３によりアナログデジタル（Ａ／Ｄ）変換され、補正回路３４及び照合回路３５に入力される。補正回路３４ではサンプル・ホールドを含むシェーディング補正や全ビット補正などが行われる。
【００４５】
ＳＯから得られたデジタル信号データの補正は、あらかじめ設定された基準信号データを記憶したデジタルデータをＲＡＭ１領域から読み出し、原稿１から採取したイメージ情報と補正回路３４により演算加工する。これは、ＣＩＳ２を構成する反射型光源３、透過型光源２１及びセンサＩＣ１２等における個々の素子のばらつきを考慮してセンサＩＣ１２による光電変換出力を均一化するために行うものである。
【００４６】
また、補正回路３４に組み込まれた照合回路３５については、図８にその構成を示している。照合回路３５は、原稿１の透過部分における画像信号をあらかじめ決められた画像パターンや真偽判別パターンに対応したデジタルデータをＲＡＭ２から読み出し、実際に読み取られた透過部分における画像データとの照合を行うものである。すなわち、透過型光源２１を点灯させて原稿１の透過部分における画像を読み取る場合には、前記のとおり、ＣＩＳ２に収納されている反射型光源３を消灯することにより、原稿１の透過部分を読み取るが、こうして得られた照度をセンサＩＣ１２により光電変換して画像出力信号（ＳＩＧ）とする。そして、この画像出力信号（ＳＩＧ）は、ＲＡＭ２に収納された透過部分の画像データと比較照合し、一致した場合には一致信号（Ａ）を外部に出力する。
なお、照合方法の詳細については、特許文献４に詳しいので説明を省略する。
【００４７】
以上から実施の形態１による画像読取装置によれば、光の透過部分を有する被照射物を搬送方向に搬送し、主走査方向に沿って設けた光源からの光を副走査方向に導光し、反射させてから被照射物の照射部に光を直下（落射）照明する反射部を有する導光体を備えたので平板形状のコンパクトな照明部分を搭載した被照射物の透過部分を読み取る画像読取装置を得ることが可能となる。
【００４８】
実施の形態２．
実施の形態１では、透過型光源体２０は、楔状の溝を設けた透過型導光体２２としたが、実施の形態２では、透過型導光体に平坦凹部を有するものについて説明する。図９は、実施の形態２による画像読取装置の透過型光源を含む照明光学系の模式断面図である。図９において、４０は透過型光源２１から出射した光を副走査方向に導光するポリカーボネートやソーダガラス材などの透明部材で構成した透過型導光体であり、４０ａは透過型導光体４０の光射出部、４０ｂは透過型光源２１から導光された光を反射させて光射出部４０ａから照射させるミラー反射面又は全反射面で形成した反射部である。そして、光射出部４０ａから出射した光は、原稿１の搬送経路における照射部５に照射するように構成している。
【００４９】
また、光射出部４０ａから出射する光は、全反射面の場合には原稿１の搬送方向と直交する結像光学系の光軸に対して４５度以下の狭角で照射される。４０ｃは透過型導光体４０の平坦面（平坦部）であり、この平坦部のサイズを変更することにより所定の照射角度を得る。その他の構成・動作は実施の形態１で説明したものと同一である。図中、図１と同一符号は、同一又は相当部分を示す。
【００５０】
以上から実施の形態２による画像読取装置によれば、光の透過部分を有する被照射物を搬送方向に搬送し、主走査方向に沿って設けた光源からの光を副走査方向に導光し、反射させてから被照射物の照射部に光を斜光照明する反射部を有する導光体を備えたので平板形状のコンパクトな照明部分を搭載した被照射物の透過部分を読み取る画像読取装置を得るとともに起伏のある透過パターンに対して高精度で読み取りを行なうことが可能となる。
【００５１】
実施の形態３．
実施の形態１及び２では、透過型光源体から照射する光は、それぞれ所定の照射角度から照射するようにしたが、実施の形態３では、異なる傾斜角度から照射可能な透過型光源体について説明する。図１０は、実施の形態３による画像読取装置の透過型光源を含む照明光学系の模式断面図である。図１０において、２１ａは第１列目の透過型光源、２１ｂは第２列目の透過型光源、４１は透過型光源２１から出射した光を副走査方向に導光するポリカーボネートやソーダガラス材などの透明部材で構成した透過型導光体であり、４１ａは透過型導光体４１の光射出部、４１ｂは透過型光源２１から導光された光を反射させてから光射出部４１ａから照射させるミラー反射面又は全反射面で形成した楔状の凹部を有する反射部である。照射光は原稿１の搬送方向と直交する結像光学系の光軸に対してほぼ平行に光射出部４１ａから照射される。
【００５２】
４１ｃは透過型導光体４１の反射部４１ｂと対向する反対面に切り欠き形成して設けられた傾斜面(ミラー面)であり、原稿１の搬送方向と直交する結像光学系の光軸に対して４５度以下の狭角で照射される。そして、光射出部４１ａから出射した照射角度のそれぞれ異なる光は、原稿１の搬送経路における照射部５に照射するように構成している。
【００５３】
なお、一方側に設けた透過型光源２１ａ（第１光源と呼ぶ）から導光された光を反射する反射部４１ｂと透過型光源２１ｂ（第２光源と呼ぶ）から導光された光を反射する反射部（傾斜面）４１ｃは、他方側に設けた透過型光源２１ａ（第３光源と呼ぶ）から導光された光を反射する反射部４１ｂと透過型光源２１ｂ（第４光源と呼ぶ）から導光された光を反射する反射部（傾斜面）４１ｃと面対称の関係にある。
【００５４】
図１１は、この発明の実施の形態３による画像読取装置の基板２８に搭載した透過型光源の説明図である。図１１において、２１ａは搬送方向の垂直面に４．２３ｍｍピッチでアレイ状に配列した第１列目光源（第１光源）、２１ｂは搬送方向の垂直面に第１列目光源２１ａと平行して配置した第２列目光源（第２光源）である。なお、第１光源２１ａと第２光源２１ｂは同一の基板２８上に設置したが、個別に設けた基板に平行配置しても良く、第１光源２１ａと第２光源２１ｂの相対照度レベルを調整するため副走査方向に位置を幾分離間させる構成としても良い。
【００５５】
図１２は、この発明の実施の形態３による画像読取装置の透過型光源部分の結線図である。図１２において、透過型光源２１の第１列目光源２１ａと、平行配置した透過型光源２１の第２列目光源２１ｂとは独立回路を形成し、それぞれＬＥＤコントロール信号端子（ＬＥＤＣ−１）及びＬＥＤコントロール信号端子（ＬＥＤＣ−２）の制御信号により、電源端子（ＶＤＤ）から電力供給され点灯・消灯駆動する。
【００５６】
次に実施の形態３による画像読取装置の駆動タイミングについて図１３を用いて説明する。図１３において、直下照明する場合には、ＣＰＵ３１に連動してＡＳＩＣ１４は光源点灯信号（ＬＥＤＣー１）をＯＮ（閉）し、光源駆動回路３０は第１光源２１ａに電源を供給することにより、第１光源２１ａは照射部５に対して直下照明する。その間連続的に駆動するＣＬＫ信号に同期してスタート信号（ＳＩ）はセンサＩＣ１２の駆動回路を形成する各素子（画素）のシフトレジスタの出力を順次ＯＮし、対応するスイッチ群が共通ライン（ＳＯ）を順次開閉することでＣＬＫに同期したイメージ情報（ＳＩＧ）を得る。
【００５７】
斜光照明する場合には、光源点灯信号（ＬＥＤＣ−２）をＯＮ（閉）し、光源駆動回路３０は第２光源２１ｂに電源を供給することにより、第２光源２１ｂは照射部５に対して斜めから斜光照明する。スタート信号（ＳＩ）はセンサＩＣ１２の駆動回路を形成する各素子のシフトレジスタの出力を順次ＯＮし、対応するスイッチ群が共通ライン（ＳＯ）を順次開閉することでＣＬＫに同期したイメージ情報（ＳＩＧ）を得る。
【００５８】
以上から実施の形態３に係わる画像読取装置によれば、搬送方向の垂直面に副走査方向に照射する平行配置された複数段の光源からの光を副走査方向に導光し、透過型導光体の異なる角度から原稿に照射可能になるので、紙幣の透かしなど透過部分の起伏を読み取り真偽判別する場合には斜光照明で読み取り、透過フィルムなどの平面パターン画像のサイズなどを読み取る場合には、直下照明で読み取ることにより、１種類の透過型光源体で真偽判別や高精度のパターンサイズ測定などの切換読み取りが可能になる効果がある。
【００５９】
実施の形態４．
実施の形態３では、透過型光源体から照射する光は直下照明と斜光照明としたが、実施の形態４では、異なる角度から照射する複数の斜光照明が可能な透過型光源体について説明する。図１４は、実施の形態４による画像読取装置の透過型光源を含む照明光学系の模式断面図である。図１４において、４２は透過型光源２１から出射した光を副走査方向に導光するポリカーボネートやソーダガラス材などの透明部材で構成した透過型導光体であり、４２ａは透過型導光体４２の光射出部、４２ｂは透過型光源２１ａの照射光軸中心に全反射面の中心がある反射部（第１全反射面）、４２ｃは透過型光源２１ｂの照射光軸中心に全反射面の中心がある反射部（第２全反射面）、４２ｄは平坦部である。
【００６０】
なお、全反射面４２ｂ、４２ｃは照射部５に近接した透過型導光体４２の一部を切り欠いて形成され、この部分を透過型導光体４２の切り欠き部と呼ぶ。
【００６１】
また、一方側に設けた透過型光源２１ａ（第１光源）から導光された光を反射する全反射面４２ｂと透過型光源２１ｂ（第２光源）から導光された光を反射する全反射面４２ｃは、他方側に設けた透過型光源２１ａ（第３光源と呼ぶ）から導光された光を反射する全反射面４２ｂと透過型光源２１ｂ（第４光源と呼ぶ）から導光された光を反射する全反射面４２ｃと面対称の関係にある。
【００６２】
次に実施の形態４による画像読取装置の駆動タイミングについて図１５を用いて説明する。図１５において、ＣＰＵ３１に連動してＡＳＩＣ１４は光源点灯信号（ＬＥＤＣー１）を０．２５ｍｓ期間ＯＮ（閉）し、それを受けて光源駆動回路３０は透過型光源２１ａに電源を供給することにより、透過型光源２１ａは白色光を発する。その間連続的に駆動するＣＬＫ信号に同期してスタート信号（ＳＩ）はセンサＩＣ１２の駆動回路を形成する各素子（画素）のシフトレジスタの出力を順次ＯＮし、対応するスイッチ群が共通ライン（ＳＯ）を順次開閉することでＣＬＫに同期したイメージ情報（ＳＩＧ）を得る。
【００６３】
その後光源点灯信号（ＬＥＤＣ−２）を０．２５ｍｓ期間ＯＮ（閉）し、光源点灯信号（ＬＥＤＣ−１）をＯＦＦ（開）し、光源駆動回路３０が光源２１ｂに電源を供給することにより、透過型光源２１ｂは白色光を発する。スタート信号（ＳＩ）はセンサＩＣ１２の駆動回路を形成する各素子のシフトレジスタの出力を順次ＯＮし、対応するスイッチ群が共通ライン（ＳＯ）を順次開閉することでＣＬＫに同期したイメージ情報（ＳＩＧ）を得る。上記の動作で１ライン分の読み取りを完了し、次ラインの読み取りに移行する。
【００６４】
以上から実施の形態４に係わる画像読取装置によれば、搬送方向の垂直面に副走査方向に照射する平行配置された複数段の光源からの光を副走査方向に導光し、透過型導光体４２の異なる角度から原稿１に照射可能になるので、搬送方向の垂直面に副走査方向に照射する平行配置された複数段の光源からの光を副走査方向に導光し、透過型導光体４２の異なる全反射面に入射する光の露光比率を時分割で制御し、時分割毎にセンサＩＣ１２で受光することで、透過光としてのホログラム画像の変化を短時間で認識し、真偽判別できる効果がある。
【００６５】
実施の形態４では、透過型導光体４２の異なる全反射面に入射する光の露光比率を時分割で制御し、時分割毎にセンサＩＣ１２で受光するようにしたが実施の形態５では、反射型導光体４からの光を異なる傾斜角度から照射可能な反射型導光体について説明する。図１６は、実施の形態５による画像読取装置の反射型光源を含む照明光学系の模式断面図である。図１６において、３ａは第１列目の反射型光源、３ｂは第２列目の反射型光源、４３は反射型光源３ａ、３ｂから出射した光を副走査方向に導光するポリカーボネートやソーダガラス材などの透明部材で構成した反射型導光体であり、４３ａは反射型導光体４３の光射出部、４３ｂは反射型導光体４３に切り欠き形成して設けられ、反射型光源３ａの照射光軸中心に全反射面の中心がある反射部（第１反射面）である。この第１反射面４３ｂから原稿１の搬送方向と直交する結像光学系の光軸に対して４５度以下の狭角で光が照射される。
【００６６】
４３ｃは反射型導光体４３の反射部４３ｂと対向する反対面に切り欠き形成して設けられ、反射型光源３ｂの照射光軸中心に傾斜面の中心がある反射部（第２反射面）である。この第２反射面４３ｃから原稿１の搬送方向と直交する結像光学系の光軸に対して４５度以上の広角で光が照射される。そして、光射出部４３ａから出射した照射角度のそれぞれ異なる光は、原稿１の搬送経路における照射部５に照射するように構成している。４３ｄは第１反射面近傍の平坦部、４３ｅは第２反射面４３ｃ近傍の平坦部である。図中、図１０と同一符号は、同一又は相当部分を示す。
【００６７】
以上から実施の形態５に係わる画像読取装置によれば、搬送方向の垂直面に副走査方向に照射する平行配置された複数段の光源からの光を副走査方向に導光し、反射型導光体４３の異なる角度から原稿１に照射可能になるので、搬送方向の垂直面に副走査方向に照射する平行配置された複数段の光源からの光をそのまま副走査方向に導光し、反射型導光体４３の異なる全反射面に入射する光の露光比率を時分割で制御し、時分割毎にセンサＩＣ１２で受光することで、反射光としてのホログラム画像の変化を短時間で認識し、真偽判別できる効果がある。
【００６８】
実施の形態６．
実施の形態３〜５では、搬送方向の垂直面に副走査方向に照射する平行配置された複数段の光源からの光を副走査方向に導光し、対応する導光体の反射部にそれぞれ入射するようにしたが、実施の形態６では、異なる反射部に光が入射する量を軽減する構造について説明する。図１７は、実施の形態６による画像読取装置の透過型光源を含む照明光学系の模式断面図である。図１７において、４４は透過型光源２１から出射した光を副走査方向に導光するポリカーボネートやソーダガラス材などの透明部材で構成した透過型導光体であり、４４ａは透過型導光体４４の光射出部、４４ｂは透過型光源２１から導光された光を反射させてから光射出部４４ａから照射させるミラー反射面又は全反射面で形成した楔状の凹部を有する反射部である。照射光は原稿１の搬送方向と直交する結像光学系の光軸に対してほぼ平行に光射出部４４ａから照射される。
【００６９】
４４ｃは透過型導光体４４の反射部４４ｂと対向する反対面に切り欠き形成して設けられた傾斜面(ミラー面)であり、原稿１の搬送方向と直交する結像光学系の光軸に対して４５度以下の狭角で照射される。そして、光射出部４４ａから出射した照射角度のそれぞれ異なる光は、原稿１の搬送経路における照射部５に照射するように構成している。
【００７０】
透過型導光体４４の端部から副走査方向に照射された光は集光レンズ２９で集光されるものの光射出部４４ａ側では幾分放射特性の広がりがあるので、透過型導光体４４の端部から光射出部４４ａに漸近するにつれて透過型導光体４４の厚みを厚くし（Δｔで表示）、反射面４４ｂ及び傾斜面４４ｃの面積を大きくすることにより、透過型光源２１ａから照射した光が傾斜面４４ｃに入射し、透過型光源２１ｂから照射した光が反射面４４ｂに入射することを軽減する。
【００７１】
実施の形態７．
実施の形態１〜６では、導光体の光射出部から照射された光はそのまま照射部５を照射したが、実施の形態７では、不要光の照射を防止し、照射角度範囲を狭くする構造について説明する。図１８は、実施の形態７による画像読取装置の透過型光源体の平面図である。図１８において、４５は透過型導光体の照射光軸中心付近にスリットを設け照射角度範囲を狭くした透過型光源体、４６は直下照明用のスリット部、４７は斜光照明用のスリット部４８は透過型光源体の筐体である、
図１８に示すように互いに異なる照射角度に対して透過光源体４５の照射領域にスリット部を設けることにより、直下照明用スリット部４６と斜光照明用スリット部４７とを筐体４８に中空領域を設置することにより、異なる反射面や傾斜面から照射された光の照射角度中心領域だけの照射光をスポット的に照射することで高精細な画像であっても切れの良い画質を維持して読み取ることが可能となる。
【００７２】
実施の形態８．
実施の形態１〜７では、導光体の照射部近傍付近の導光体近傍に成形加工などにより切り欠き部を設けた一体型構成の導光体構造としたが、図１９に示すように透過型導光体を副走査方向に平行して分割した構造とし、隣接する接合部に反射部材を塗布又は蒸着して専用の全反射経路を形成することで隣接する全反射経路に不要光の漏洩を防止し、照射効率の高い露光比率の設定が可能となる。同様に隣接する接合部に光吸収部材を塗布又は蒸着して遮光し、隣接する全反射経路に不要光の漏洩を防止することでも露光比率の設定が容易となる。
【００７３】
実施の形態９．
実施の形態１〜８では導光体の端部両側から光を照射することとしたが、図２０に示すように原稿１の皺や浮きによる不都合がない搬送手段を用いる場合や、高速読み取りを必要としない用途にあっては必ずしも導光体の両側から光を照射する必要はなく片側からだけで照射しても相応の効果を奏する。
【００７４】
実施の形態１０．
実施の形態１〜９では、ミラー系やレンズ系で構成した結像手段（レンズ体）を用いてテレセントリックな結像光学系で説明したが、実施の形態１０では、普及型の結像光学系を使用した場合について説明する。図２１はこの発明の実施の形態１０による画像読取装置の断面構成図である。図２１において、５０は照射部５からの光を収束させるロッドレンズアレイなどのレンズ体、５１は反射形光源３、５２は反射型導光体である。図中、図１と同一符号は、同一又は相当部分を示す。
【００７５】
次に動作について説明する。図２１において、主走査方向に延在する透過型光源２１から照射された光は透過型導光体２２内部を副走査方向に伝搬し、反射部２２ｂで反射し原稿１の照射部５を照明する。原稿１を通過した透過光はロッドレンズアレイ５０で収束し、ロッドレンズアレイ５０で収束された光はセンサＩＣ１２で受光される。センサＩＣ１２で光電変換されたアナログ信号はセンサ基板１３を介して信号処理基板１５で信号処理される。その他の機能については実施の形態１に準ずる。
【００７６】
本実施の形態１０ではセンサＩＣ１２に入射した光に対応する受光面は一列に直線配置されているのでセンサ基板１３及び信号処理基板１５は各１個の基板で対応可能である。
【００７７】
以上から実施の形態１０に係る画像読取装置によれば、透過型光源２１から照射した光を透過型導光体２２内部で副走査方向に伝搬させて透過型導光体２２の反射部２２ｂから原稿１を照明する照明ユニットと、原稿１から入射する光情報をロッドレンズアレイ５０で結像させるのでファイバレンズなどを用いた普及タイプの画像読取装置（ＣＩＳ）にも適用可能である。
【００７８】
実施の形態１１．
実施の形態１〜１０では、異なる角度から照射可能なＣＩＳ２を原稿１の搬送経路に１セット配置したが、ＣＩＳを原稿１の搬送経路に複数個平行設置して、異なる光学波長の光源からの照射光をそれぞれ検出することにより、個々の被照射物の特徴にあった画像の識別、又は真偽判別をさらに高精度で行え、紙幣１の両面読み取りのためにＣＩＳ２を平行配置しても良い。
【図面の簡単な説明】
【００７９】
【図１】この発明の実施の形態１による画像読取装置の断面構成図である。
【図２】この発明の実施の形態１による画像読取装置の断面図である。
【図３】この発明の実施の形態１による画像読取装置の透過型光源体の模式平面図である。
【図４】この発明の実施の形態１による画像読取装置の透過型光源体の模式側面図である。
【図５】この発明の実施の形態１による画像読取装置のブロック構成図である。
【図６】この発明の実施の形態１による画像読取装置のフォトセンサのタイミング図である。
【図７】この発明の実施の形態１による画像読取装置の駆動タイミング図である。
【図８】この発明の実施の形態１による画像読取装置の照合回路のブロック構成図である。
【図９】この発明の実施の形態２による画像読取装置の透過型光源を含む照明光学系の模式断面図である。
【図１０】この発明の実施の形態３による画像読取装置の透過型光源を含む照明光学系の模式断面図である。
【図１１】この発明の実施の形態３による画像読取装置の基板に搭載した透過型光源の説明図である。
【図１２】この発明の実施の形態３による画像読取装置の透過型光源部分の結線図である。
【図１３】この発明の実施の形態３による画像読取装置の駆動タイミング図である。
【図１４】この発明の実施の形態４による画像読取装置の透過型光源を含む照明光学系の模式断面図である。
【図１５】この発明の実施の形態４による画像読取装置の駆動タイミング図である。
【図１６】この発明の実施の形態５による画像読取装置の反射型光源を含む照明光学系の模式断面図である。
【図１７】この発明の実施の形態６による画像読取装置の透過型光源を含む照明光学系の模式断面図である。
【図１８】この発明の実施の形態７による画像読取装置の透過型光源体の平面図である。
【図１９】この発明の実施の形態８による画像読取装置の透過型光源を含む照明光学系の模式断面図である。
【図２０】この発明の実施の形態９による画像読取装置の透過型光源を含む照明光学系の模式断面図である。
【図２１】この発明の実施の形態１０による画像読取装置の断面構成図である。
【図２２】この発明の実施の形態１１による画像読取装置の設置方法を説明する断面構成図である。
【符号の説明】
【００８０】
１・・被照射物（紙幣）  ２・・密着イメージセンサ（ＣＩＳ）
３・・反射型光源
３ａ・・第１列目の反射型光源  ３ｂ・・第２列目の反射型光源
４・・反射型導光体  ４ａ・・  光射出部
５・・照射部  ６・・透過体  ７・・第１ミラー  ８・・第１レンズ
９・・アパーチャー  ９ａ・・開口部  １０・・第２レンズ
１１・・第２ミラー  １２・・センサ  １３・・センサ基板
１３ａ・・第１センサ基板  １３ｂ・・第２センサ基板
１４・・信号処理ＩＣ（ＡＳＩＣ）  １５・・信号処理基板
１６・・内部コネクタ  １７・・放熱ブロック  １８・・筐体
１９・・筐体  ２０・・透過型光源体  ２１・・透過型光源
２１ａ・・第１列目光源（第１光源又は第３光源）
２１ｂ・・第２列目光源（第２光源又は第４光源）
２２・・透過型導光体  ２２ａ・・光射出部  ２２ｂ・・反射部
２３・・外部コネクタ  ２４・・透過型光源体の筐体
２５・・搬送手段
２６・・フォトセンサ（検出手段）  ２６Ｔ・・発光部分  ２６Ｒ・・受光部分
２７・・内部コネクタ  ２８・・基板  ２９・・集光レンズ
３０・・点灯制御手段  ３１・・制御部（ＣＰＵ）  ３２・・可変増幅器（増幅器）
３３・・アナログデジタル変換器  ３４・・補正回路  ３５・・照合回路
４０・・透過型導光体  ４０ａ・・光射出部  ４０ｂ・・反射部
４０ｃ・・平坦部
４１・・透過型導光体  ４１ａ・・光射出部  ４１ｂ・・反射部（楔状反射部）
４１ｃ・・反射部（傾斜面）
４２・・透過型導光体  ４２ａ・・光射出部  ４２ｂ・・反射部（第１全反射面）
４２ｃ・・反射部（第２全反射面）  ４２ｄ・・平坦部
４３・・反射型導光体  ４３ａ・・光射出部  ４３ｂ・・反射部（第１反射面）
４３ｃ・・反射部（第２反射面）
４３ｄ・・第１反射面近傍の平坦部  ４３ｅ・・第２反射面近傍の平坦部である。
４４・・透過型導光体  ４４ａ・・光射出部  ４４ｂ・・反射部（楔状反射部）
４４ｃ・・反射部（傾斜面）
４５・・透過型光源体  ４６・・直下照明用スリット部  ４７・・斜光照明用スリット部
４８・・筐体
５０・・レンズ体  ５１・・反射型光源  ５２・・反射型導光体
【図１】
0004609531.tif 000002
【図２】
0004609531.tif 000003
【図３】
0004609531.tif 000004
【図４】
0004609531.tif 000005
【図５】
0004609531.tif 000006
【図６】
0004609531.tif 000007
【図７】
0004609531.tif 000008
【図８】
0004609531.tif 000009
【図９】
0004609531.tif 000010
【図１０】
0004609531.tif 000011
【図１１】
0004609531.tif 000012
【図１２】
0004609531.tif 000013
【図１３】
0004609531.tif 000014
【図１４】
0004609531.tif 000015
【図１５】
0004609531.tif 000016
【図１６】
0004609531.tif 000017
【図１７】
0004609531.tif 000018
【図１８】
0004609531.tif 000019
【図１９】
0004609531.tif 000020
【図２０】
0004609531.tif 000021
【図２１】
0004609531.tif 000022
【図２２】
0004609531.tif 000023